【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のデバイスと第２のデバイスとの間のワイヤレス通信に関する範囲を決定するための時間ウィンドウの表示を送信することと、
前記第１のデバイスと前記第２のデバイスとの間の前記範囲を、前記示された時間ウィンドウにおいて決定することと
を備える方法。
【請求項２】
前記範囲決定の結果に基づいて、前記示された時間ウィンドウの間に１つまたは複数のピアツーピアデータフレームを交換することをさらに備え、
好ましくは、前記第１のデバイスは発行ピアツーピアデバイスを備え、前記第２のデバイスは購読ピアツーピアデバイスを備える、または、
好ましくは、前記第１のデバイスは購読ピアツーピアデバイスを備え、前記第２のデバイスは発行ピアツーピアデバイスを備える、
請求項１に記載の方法。
【請求項３】
前記範囲決定は、受信されたメッセージの受信信号強度表示、前記受信されたメッセージの送信電力レベル、前記第１のデバイスと前記第２のデバイスとの間のラウンドトリップ時間測定値、前記第１のデバイスの位置表示、前記第１および第２のデバイスと関連した隣接デバイスリストの比較、またはそれらの任意の組合せに、少なくとも基づき、
前記第１のデバイスの前記位置表示は、好ましくは、位置情報タイプと、全地球測位システム、セルラー通信システム、またはサードパーティの位置表示に基づいて導出される位置座標表示と、前記第１のデバイスによって検出可能なデバイスのリストと、前記第１のデバイスによって検出可能なデバイスに関する受信信号強度表示のリストと、前記第１のデバイスによって検出可能なデバイスに関するラウンドトリップ時間のリストとのうちの１つまたは複数を備える位置情報を備える、
請求項１に記載の方法。
【請求項４】
前記表示は、前記第１のデバイスのチャネル識別子をさらに含み、前記第１のデバイスと前記第２のデバイスとの間のワイヤレス通信に関する前記範囲を決定するための複数の時間ウィンドウ区間をさらに含む、請求項１に記載の方法。
【請求項５】
前記複数の時間ウィンドウ区間の各々の開始を、等しい継続時間の複数の連続した時間ウィンドウ区間に分割するビットマップを発することをさらに備え、前記ビットマップの各ビットは、前記時間ウィンドウのそれぞれの表示の利用可能性を識別する、請求項４に記載の方法。
【請求項６】
前記表示は、タイミング測定プロトコルを実行するための、前記第１のデバイスおよび前記第２のデバイスのうちの１つまたは複数に関する利用可能性を備える、請求項１に記載の方法。
【請求項７】
前記範囲決定の結果が基準を満たすかどうかを決定することと、
前記範囲決定の前記結果が前記基準を満たさないとき、少なくとも１つの追加の範囲を決定すること、ここにおいて、前記少なくとも１つの追加の範囲は、前記第１のデバイスと前記第２のデバイスとの間、および前記第１のデバイスと１つまたは複数の他のデバイスとの間のうちの少なくとも１つである、と、
をさらに備える請求項１に記載の方法。
【請求項８】
三角測量および三辺測量のプロセスをさらに備え、前記三角測量および三辺測量プロセスは、
（１）前記第１のデバイスと第３のデバイスとの間の範囲、および（２）前記第１のデバイスと第４のデバイスとの間の範囲を決定することと、
（３）前記第２のデバイスと前記第３のデバイスとの間の範囲、（４）前記第２のデバイスと前記第４のデバイスとの範囲、および（５）前記第３のデバイスと前記第４のデバイスとの範囲を決定することと、
（６）前記第２のデバイスと第５のデバイスとの間の範囲、（７）前記第３のデバイスと前記第５のデバイスとの間の範囲、および（８）前記第４のデバイスと前記第５のデバイスとの間の範囲を、それぞれ、前記第２、第３、および第４のデバイスの各々から受信することと、
前記第１のデバイスと前記第５のデバイスとの間の範囲を、前記第１のデバイスと前記第２のデバイスとの間の前記範囲および前記範囲（１）〜（８）の各々に基づいて決定することとを備える、
請求項１に記載の方法。
【請求項９】
ワイヤレスネットワークにおいて通信するように構成された装置であって、
送信機と受信機との間のワイヤレス通信に関する範囲を決定するための時間ウィンドウの表示を送信するように構成された前記送信機と、
前記送信機と前記受信機との間の前記範囲を、前記示された時間ウィンドウにおいて決定するように構成されたプロセッサと、
を備える装置。
【請求項１０】
第１のデバイスと第２のデバイスとの間のワイヤレス通信に関する範囲を決定するための時間ウィンドウの表示を受信することと、
前記示された時間ウィンドウにおいて範囲決定の動作を開始することと、
を備えるワイヤレス通信の方法。
【請求項１１】
前記範囲決定の動作の結果に基づいて、前記示された時間ウィンドウの間に１つまたは複数のピアツーピアデータフレームを交換することをさらに備え、
好ましくは、前記第１のデバイスは発行ピアツーピアデバイスを備え、前記第２のデバイスは購読ピアツーピアデバイスを備える、または、
好ましくは、前記第１のデバイスは購読ピアツーピアデバイスを備え、前記第２のデバイスは発行ピアツーピアデバイスを備える、
請求項１０に記載の方法。
【請求項１２】
前記範囲決定の動作は、受信されたメッセージの受信信号強度表示、前記受信されたメッセージの送信電力レベル、前記第１のデバイスと前記第２のデバイスとの間のラウンドトリップ時間測定値、前記第１のデバイスの位置表示、前記第１および第２のデバイスと関連した隣接デバイスリストの比較、またはそれらの任意の組合せに、少なくとも基づき、
前記第１のデバイスの前記位置表示は、好ましくは、位置情報タイプと、全地球測位システム、セルラー通信システム、またはサードパーティの位置表示に基づいて導出される位置座標表示と、前記第１のデバイスによって検出可能なデバイスのリストと、前記第１のデバイスによって検出可能なデバイスに関する受信信号強度表示のリストと、前記第１のデバイスによって検出可能なデバイスに関するラウンドトリップ時間のリストとのうちの１つまたは複数を備える位置情報を備える、
請求項１０に記載の方法。
【請求項１３】
前記表示は、前記第１のデバイスのチャネル識別子をさらに含み、前記第１のデバイスと前記第２のデバイスとの間の前記範囲決定の動作を実行するための複数の時間ウィンドウ区間をさらに含む、請求項１０に記載の方法。
【請求項１４】
前記複数の時間ウィンドウ区間の各々の開始を、等しい継続時間の複数の連続した時間ウィンドウ区間に分割するビットマップを発すること、ここで、前記ビットマップの各ビットは、前記時間ウィンドウのそれぞれの表示の利用可能性を識別する、を備える請求項１３に記載の方法。
【請求項１５】
ワイヤレスネットワークにおいて通信するように構成された装置であって、
受信機と送信機との間のワイヤレス通信に関する範囲を決定するための時間ウィンドウの表示を受信するように構成された前記受信機と、
前記示された時間ウィンドウにおいて範囲決定の動作を開始するように構成されたプロセッサと、
を備える装置。
【手続補正２】
【補正対象書類名】明細書
【補正対象項目名】０２０５
【補正方法】変更
【補正の内容】
【０２０５】
[00225]開示される実施形態の前の説明は、当業者が開示される実施形態を作りまたは使用することを可能にするために提供されるものである。これらの実施形態に対する様々な修正は、当業者には容易に明らかになり、本明細書で定義される原理は、本開示の範囲から逸脱することなく、他の実施形態に適用され得る。したがって、本開示は、本明細書で開示された実施形態に限定されるものではなく、以下の特許請求の範囲によって規定される原理および新規の特徴と合致することが可能な最も広い範囲が与えられるべきものである。
以下に本願の出願当初の特許請求の範囲に記載された発明を付記する。
［Ｃ１］
ワイヤレス通信の方法であって、
第１のデバイスと第２のデバイスとの間のワイヤレス通信に関する範囲を決定するための時間ウィンドウの表示を送信することと、
前記第１のデバイスと前記第２のデバイスとの間の前記範囲を、前記示された時間ウィンドウにおいて決定することと
を備える方法。
［Ｃ２］
前記範囲決定の結果に基づいて、前記示された時間ウィンドウの間に１つまたは複数のピアツーピアデータフレームを交換することをさらに備える、Ｃ１に記載の方法。
［Ｃ３］
前記第１のデバイスは発行ピアツーピアデバイスを備え、前記第２のデバイスは購読ピアツーピアデバイスを備える、Ｃ２に記載の方法。
［Ｃ４］
前記第１のデバイスは購読ピアツーピアデバイスを備え、前記第２のデバイスは発行ピアツーピアデバイスを備える、Ｃ２に記載の方法。
［Ｃ５］
前記表示は、ピアツーピアサービスに関する前記範囲を前記決定することを命令することをさらに含む、Ｃ２に記載の方法。
［Ｃ６］
前記範囲決定は、受信されたメッセージの受信信号強度表示、前記受信されたメッセージの送信電力レベル、前記第１のデバイスと前記第２のデバイスとの間のラウンドトリップ時間測定値、前記第１のデバイスの位置表示、前記第１および第２のデバイスと関連した隣接デバイスリストの比較、またはそれらの任意の組合せに、少なくとも基づく、Ｃ１に記載の方法。
［Ｃ７］
前記第１のデバイスの前記位置表示は、位置情報タイプと、全地球測位システム、セルラー通信システム、またはサードパーティの位置表示に基づいて導出される位置座標表示と、前記第１のデバイスによって検出可能なデバイスのリストと、前記第１のデバイスによって検出可能なデバイスに関する受信信号強度表示のリストと、前記第１のデバイスによって検出可能なデバイスに関するラウンドトリップ時間のリストとのうちの１つまたは複数を備える位置情報を備える、Ｃ６に記載の方法。
［Ｃ８］
前記表示は、前記第１のデバイスのチャネル識別子をさらに含み、前記第１のデバイスと前記第２のデバイスとの間のワイヤレス通信に関する前記範囲を決定するための複数の時間ウィンドウ区間をさらに含む、Ｃ１に記載の方法。
［Ｃ９］
前記複数の時間ウィンドウ区間の各々の開始を、等しい継続時間の複数の連続した時間ウィンドウ区間に分割するビットマップを発することをさらに備え、前記ビットマップの各ビットは、前記時間ウィンドウのそれぞれの表示の利用可能性を識別する、Ｃ８に記載の方法。
［Ｃ１０］
前記表示は、タイミング測定プロトコルを実行するための、前記第１のデバイスおよび前記第２のデバイスのうちの１つまたは複数に関する利用可能性を備える、Ｃ１に記載の方法。
［Ｃ１１］
前記範囲決定の結果が基準を満たすかどうかを決定することと、
前記範囲決定の前記結果が前記基準を満たさないとき、少なくとも１つの追加の範囲を決定すること、ここにおいて、前記少なくとも１つの追加の範囲は、前記第１のデバイスと前記第２のデバイスとの間、および前記第１のデバイスと１つまたは複数の他のデバイスとの間のうちの少なくとも１つである、と、
をさらに備えるＣ１に記載の方法。
［Ｃ１２］
三角測量および三辺測量のプロセスをさらに備え、前記三角測量および三辺測量プロセスは、
（１）前記第１のデバイスと第３のデバイスとの間の範囲、および（２）前記第１のデバイスと第４のデバイスとの間の範囲を決定することと、
（３）前記第２のデバイスと前記第３のデバイスとの間の範囲、（４）前記第２のデバイスと前記第４のデバイスとの範囲、および（５）前記第３のデバイスと前記第４のデバイスとの範囲を決定することと、
（６）前記第２のデバイスと第５のデバイスとの間の範囲、（７）前記第３のデバイスと前記第５のデバイスとの間の範囲、および（８）前記第４のデバイスと前記第５のデバイスとの間の範囲を、それぞれ、前記第２、第３、および第４のデバイスの各々から受信することと、
前記第１のデバイスと前記第５のデバイスとの間の範囲を、前記第１のデバイスと前記第２のデバイスとの間の前記範囲および前記範囲（１）〜（８）の各々に基づいて決定することとを備える、
Ｃ１に記載の方法。
［Ｃ１３］
ワイヤレスネットワークにおいて通信するように構成された装置であって、
送信機と受信機との間のワイヤレス通信に関する範囲を決定するための時間ウィンドウの表示を送信するように構成された前記送信機と、
前記送信機と前記受信機との間の前記範囲を、前記示された時間ウィンドウにおいて決定するように構成されたプロセッサと、
を備える装置。
［Ｃ１４］
前記プロセッサは、前記範囲決定の結果に基づいて、前記示された時間ウィンドウの間に１つまたは複数のピアツーピアデータフレームを交換するようにさらに構成される、Ｃ１３に記載の装置。
［Ｃ１５］
前記送信機は発行ピアツーピアデバイスを備え、前記受信機は購読ピアツーピアデバイスを備える、Ｃ１４に記載の装置。
［Ｃ１６］
前記送信機は購読ピアツーピアデバイスを備え、前記受信機は発行ピアツーピアデバイスを備える、Ｃ１４に記載の装置。
［Ｃ１７］
第１のデバイスと第２のデバイスとの間のワイヤレス通信に関する範囲を決定するための時間ウィンドウの表示を受信することと、
前記示された時間ウィンドウにおいて範囲決定の動作を開始することと、
を備えるワイヤレス通信の方法。
［Ｃ１８］
前記範囲決定の動作の結果に基づいて、前記示された時間ウィンドウの間に１つまたは複数のピアツーピアデータフレームを交換することをさらに備える、Ｃ１７に記載の方法。
［Ｃ１９］
前記第１のデバイスは発行ピアツーピアデバイスを備え、前記第２のデバイスは購読ピアツーピアデバイスを備える、Ｃ１８に記載の方法。
［Ｃ２０］
前記第１のデバイスは購読ピアツーピアデバイスを備え、前記第２のデバイスは発行ピアツーピアデバイスを備える、Ｃ１８に記載の方法。
［Ｃ２１］
前記表示は、ピアツーピアサービスに関する前記範囲決定の動作を命令することをさらに含む、Ｃ１８に記載の方法。
［Ｃ２２］
前記範囲決定の動作は、受信されたメッセージの受信信号強度表示、前記受信されたメッセージの送信電力レベル、前記第１のデバイスと前記第２のデバイスとの間のラウンドトリップ時間測定値、前記第１のデバイスの位置表示、前記第１および第２のデバイスと関連した隣接デバイスリストの比較、またはそれらの任意の組合せに、少なくとも基づく、Ｃ１７に記載の方法。
［Ｃ２３］
前記第１のデバイスの前記位置表示は、位置情報タイプと、全地球測位システム、セルラー通信システム、またはサードパーティの位置表示に基づいて導出される位置座標表示と、前記第１のデバイスによって検出可能なデバイスのリストと、前記第１のデバイスによって検出可能なデバイスに関する受信信号強度表示のリストと、前記第１のデバイスによって検出可能なデバイスに関するラウンドトリップ時間のリストとのうちの１つまたは複数を備える位置情報を備える、Ｃ２２に記載の方法。
［Ｃ２４］
前記表示は、前記第１のデバイスのチャネル識別子をさらに含み、前記第１のデバイスと前記第２のデバイスとの間の前記範囲決定の動作を実行するための複数の時間ウィンドウ区間をさらに含む、Ｃ１７に記載の方法。
［Ｃ２５］
前記複数の時間ウィンドウ区間の各々の開始を、等しい継続時間の複数の連続した時間ウィンドウ区間に分割するビットマップを発すること、ここで、前記ビットマップの各ビットは、前記時間ウィンドウのそれぞれの表示の利用可能性を識別する、を備えるＣ２４に記載の方法。
［Ｃ２６］
前記表示は、タイミング測定プロトコルを実行するための、前記第１のデバイスおよび前記第２のデバイスのうちの１つまたは複数に関する利用可能性を備える、Ｃ１７に記載の方法。
［Ｃ２７］
前記範囲決定の動作の結果が基準を満たすかどうかを決定することと、
前記範囲決定の前記結果が前記基準を満たさないとき、少なくとも１つの追加の範囲決定の動作を開始すること、ここにおいて、前記少なくとも１つの追加の範囲決定の動作は、前記第１のデバイスと前記第２のデバイスとの間、および前記第１のデバイスと１つまたは複数の他のデバイスとの間のうちの少なくとも１つである、と、
をさらに備えるＣ１８に記載の方法。
［Ｃ２８］
ワイヤレスネットワークにおいて通信するように構成された装置であって、
受信機と送信機との間のワイヤレス通信に関する範囲を決定するための時間ウィンドウの表示を受信するように構成された前記受信機と、
前記示された時間ウィンドウにおいて範囲決定の動作を開始するように構成されたプロセッサと、
を備える装置。
［Ｃ２９］
前記プロセッサは、前記範囲決定の動作の結果に基づいて、前記示された時間ウィンドウの間に１つまたは複数のピアツーピアデータフレームを交換するようにさらに構成される、Ｃ２８に記載の装置。
［Ｃ３０］
前記送信機が発行ピアツーピアデバイスを備えるとともに前記受信機が購読ピアツーピアデバイスを備えるか、または、
前記送信機が購読ピアツーピアデバイスを備えるとともに前記受信機が発行ピアツーピアデバイスを備える、
Ｃ２９に記載の装置。